(57)【要約】【課題】  この考案は陰毛部の脱毛を自分の好みに合わせたシート形状を選択し、簡単、且つ、安価に脱毛可能な形状選択型陰毛部脱毛用シートを開発・提供する事にある。【解決手段】  シートはアセテートサテン等の繻子織布製シールと、アクリル系繊維用糊と、白クラフト台紙を重合貼着して成り、且つ、使用時は使用者の好みの形状のシートを陰毛部に貼着し、且つ、該陰毛部をバリカン等の刈毛器具又は脱毛器具を使用してシート上面から陰部に沿って周囲を刈り上げ後、シートを除去する事で、好みの陰毛形状を形成するものである。又、シートは正三角形状シートや、ハート形状シートや、卵形状シートや、矩形状シートや、二等辺三角形状シート等、複数種類の形状から選ばれた事を特徴とするものである。【選択図】  図２
0003132956.tif 000002
【実用新案登録請求の範囲】
【請求項１】
陰毛部の形状を好みの形状に刈り上げ或いは脱毛して形成する為のシートであって、該シートはアセテートサテン等の繻子織布製シール（ＡＳ）と、アクリル系繊維用糊（ＰＡ）と、白クラフト台紙（ＭＯ）の剥離紙を重合貼着して成り、且つ、使用時は使用者の好みの形状のシートを陰毛部（ＰＨ）に貼着し、且つ、該陰毛部をバリカン等の刈毛器具又は脱毛器具を使用してシート上面から陰部（Ｐ）に沿って周囲を刈り上げ又は脱毛後、シートを除去する事で、好みの陰毛形状を形成する事を特徴とする形状選択型陰毛部脱毛用シート。
【請求項２】
シートは正三角形状シート（１）や、ハート形状シート（２）や、卵形状シート（３）や、矩形状シート（４）や、二等辺三角形状シート（５）から選ばれた事を特徴とする請求項１記載の形状選択型陰毛部脱毛用シート。
【考案の詳細な説明】
【技術分野】
【０００１】
この考案は、陰毛部の形状を好みの形状に刈り上げ形成する為の、形状選択型陰毛部脱毛用シートに関するものである。
【背景技術】
【０００２】
従来、美容整形の一環として、人体の陰部の毛を綺麗に整えるＶライン脱毛といわれる整形治療が行われていたが、これは医療用のレーザー等の専用器具を使用して脱毛を行うもので、専門の美容整形クリニック等へ行って治療を受ける必要があり、治療費も高額である。
【０００３】
しかし、最近、美容整形業界ではアンダーヘアを更に進化させ、オーダーメイドでその人の好みに合わせた形に脱毛形成（ビューライン脱毛）出来、且つ、簡単で安価なものを要求されている。
【特許文献１】特開平１１−０１２１２３
【考案の開示】
【考案が解決しようとする課題】
【０００４】
そこで、上記課題を解決する為に、この考案は陰毛部の脱毛を自分の好みに合わせたシート形状を選択し、簡単、且つ、安価に脱毛可能な形状選択型陰毛部脱毛用シートを開発・提供する事にある。
【課題を解決するための手段】
【０００５】
この課題を解決する為の手段として、シートはアセテートサテン等の繻子織布製シールと、アクリル系繊維用糊と、白クラフト台紙の剥離紙を重合貼着して成り、且つ、使用時は使用者の好みの形状のシートを陰毛部に貼着し、且つ、該陰毛部をバリカン等の刈毛器具又は脱毛器具を使用してシート上面から陰部に沿って周囲を刈り上げ又は脱毛後、シートを除去する事で、好みの陰毛形状を形成するものである。
【０００６】
又、シートは正三角形状シートや、ハート形状シートや、卵形状シートや、矩形状シートや、二等辺三角形状シートから選ばれた事を特徴とするものである。
【考案の効果】
【０００７】
この考案の効果として、シートはアセテートサテン等の繻子織布製シールと、アクリル系繊維用糊と、白クラフト台紙の剥離紙を重合貼着して成り、且つ、使用時は使用者の好みの形状のシートを陰毛部に貼着し、且つ、該陰毛部をバリカン等の刈毛器具又は脱毛器具を使用してシート上面から陰部に沿って周囲を刈り上げ又は脱毛後、シートを除去する事で、好みの陰毛形状を形成するものである。又、シートは正三角形状シートや、ハート形状シートや、卵形状シートや、矩形状シートや、二等辺三角形状シートから選ばれた事を特徴とする事で、陰毛部を自分の好みに合わせた形状に、簡単、且つ、安価に脱毛可能にする事が出来る。
【０００８】
又、粘着面に使用している粘着剤は、医療品に用いられるものを使用し、各シートの材質もサテン生地製を使用している為、美肌効果に優れている等、極めて有益なる効果を奏するものである。
【考案を実施するための最良の形態】
【０００９】
この考案の最良の形態として、シートの形状や寸法は選択する人の好みや体形に合わせた最適なものに設定し、安全性・実用性・経済性に優れたものにする事が重要である。
【実施例１】
【００１０】
そこで、この考案の一実施例を図１〜図２に基づいて詳述すると、陰毛部の形状を好みの形状に刈り上げ或いは脱毛して形成する為のシートであって、該シートはアセテートサテン等の繻子織布製シール（ＡＳ）と、アクリル系繊維用糊（ＰＡ）と、白クラフト台紙（ＭＯ）の剥離紙を重合貼着して成り、且つ、使用時は使用者の好みの形状のシートを陰毛部（ＰＨ）に貼着し、且つ、該陰毛部をバリカン等の刈毛器具又は脱毛器具を使用してシート上面から陰部（Ｐ）に沿って周囲を刈り上げ又は脱毛後、シートを除去する事で、好みの陰毛形状を形成する事を特徴とする形状選択型陰毛部脱毛用シートから構成される。
【００１１】
又、シートは正三角形状シート（１）や、ハート形状シート（２）や、卵形状シート（３）や、矩形状シート（４）や、二等辺三角形状シート（５）から選ばれた事を特徴とする形状選択型陰毛部脱毛用シートから構成される。
【００１２】
次に、この考案の材質・寸法形状について説明すると、まず、各シート（１）（２）（３）（４）（５）の材質は、図２に示す様にアセテートサテン（ＡＳ）をそれぞれ使用し、接着糊はアクリル系繊維用糊（ＰＡ）を使用し、剥離紙は白色のクラフト台紙（ＭＯ）を使用している。
【００１３】
そして、寸法形状の一例を述べると、図１（Ａ）（Ｂ）（Ｃ）（Ｄ）（Ｅ）に示す様に、一辺が９２ｍｍの正三角形状と、縦１１４ｍｍ×横６０ｍｍのハート形状と、縦６０ｍｍ×横９２ｍｍの卵形状と、縦６０ｍｍ×１０５ｍｍの矩形状と、縦６０ｍｍ×横１０５ｍｍの二等辺三角形状の５種類に形成されている。勿論、形状に関しては、上記以外の使用者の好みに合わせた別の形状に形成しても構わない。
【００１４】
次に、この考案の使用方法について説明すると、図３に示す様に人体の陰毛部に使用者の好みのシートを選び、白クラフト台紙を取り除き貼着し、陰毛部をバリカン等の刈毛器具又は脱毛器具を使用してシート上面から陰部（Ｐ）に沿って周囲を刈り上げ又は脱毛する。そして、刈り上げ又は脱毛後、陰毛部のシートを除去する。
【００１５】
図４は、陰毛部の仕上がり状態を示す正面図である。
【産業上の利用可能性】
【００１６】
この考案の形状選択型陰毛部脱毛用シートは、陰毛部の脱毛を自分の好みに合わせたシート形状を選択し、簡単、且つ、安価に脱毛可能にした事で、多くの美容整形関係市場に寄与する点で産業上の利用可能性を有する。
【図面の簡単な説明】
【００１７】
【図１】この考案の一実施例を示し、（Ａ）は正三角形状シートの正面図で、（Ｂ）はハート形状シートの正面図で、（Ｃ）は卵形状シートの正面図で、（Ｄ）は矩形状シートの正面図で、（Ｅ）は二等辺三角形状シートの正面図である。
【図２】この考案の一実施例を示し、シートの断面図である。
【図３】この考案の使用例を示し、取り扱い要領を示す正面図である。
【図４】この考案の使用例を示し、仕上がり状態を示す正面図である。
【符号の説明】
【００１８】
１  正三角形状シート
１ＡＳ  アセテートサテン等の繻子織布製シール
１ＰＡ  アクリル系繊維用糊
１ＭＯ  白クラフト台紙
２  ハート形状シート
２ＡＳ  アセテートサテン等の繻子織布製シール
２ＰＡ  アクリル系繊維用糊
２ＭＯ  白クラフト台紙
３  卵形状シート
３ＡＳ  アセテートサテン等の繻子織布製シール
３ＰＡ  アクリル系繊維用糊
３ＭＯ  白クラフト台紙
４  矩形状シート
４ＡＳ  アセテートサテン等の繻子織布製シール
４ＰＡ  アクリル系繊維用糊
４ＭＯ  白クラフト台紙
５  二等辺三角形状シート
５ＡＳ  アセテートサテン等の繻子織布製シール
５ＰＡ  アクリル系繊維用糊
５ＭＯ  白クラフト台紙
Ｐ  陰部
ＰＨ  陰毛部
【図１】
0003132956.tif 000003
【図２】
0003132956.tif 000004
【図３】
0003132956.tif 000005
【図４】
0003132956.tif 000006
【手続補正書】
【提出日】平成19年4月11日(2007.4.11)
【手続補正１】
【補正対象書類名】図面
【補正対象項目名】図１
【補正方法】変更
【補正の内容】
【図１】
0003132956.tif 000007
【手続補正２】
【補正対象書類名】図面
【補正対象項目名】図３
【補正方法】変更
【補正の内容】
【図３】
0003132956.tif 000008